(57)【要約】【課題】三脚と、三脚によって支持される測量機器等の種々の機器とが、風等によって転倒することを確実に防止する。【解決手段】機器を載せる天板（１２）と、該天板（１２）に連結された３つの脚部（４０）とを備えた三脚（３１０，４１０）において、少なくとも１つの前記脚部（４０）又は該脚部に取り付けられた別部材（４９２）の所定位置に、該所定位置から地面に向かって三脚の転倒に弱い方向へ延びる支持部材（３８２，４８２，５８２，６８２）を貫通させるための穴（３９５，３９６，４９９，５９５，６９５）を設ける。【選択図】図１７
2010014692.tif 000002
【特許請求の範囲】
【請求項１】
機器を載せる天板（１２）と、該天板（１２）に連結された３つの脚部（４０）とを備えた三脚（３１０，４１０）において、
少なくとも１つの前記脚部（４０）又は該脚部に取り付けられた別部材（４９２）の所定位置に、該所定位置から地面に向かって三脚の転倒に弱い方向へ延びる支持部材（３８２，４８２，５８２，６８２）を貫通させるための穴（３９５，３９６，４９９，５９５，６９５）が設けられていることを特徴とする三脚。
【請求項２】
前記支持部材（３８２，４８２）が直線状の棒材からなり、
前記穴（３９５，３９６，４９９）は、該穴に挿通された前記支持部材（３８２，４８２）が該支持部材の長さ方向にスライド可能なように形成されていることを特徴とする請求項１に記載の三脚。
【請求項３】
機器を載せる天板（１２）と、該天板（１２）に連結された３つの脚部（４０）とを備えた三脚（３１０，４１０）を支持するための三脚支持装置であって、
前記脚部（４０）又は該脚部に取り付けられた別部材（４９２）に形成された穴からなる支持部材取付部（３９５，３９６，４９９，５９５，６９５）と、
該支持部材取付部（３９５，３９６，４９９，５９５，６９５）から地面に向かって三脚の転倒に弱い方向へ延びるようにして該支持部材取付部（３９５，３９６，４９９，５９５，６９５）を貫通可能な支持部材（３８２，４８２，５８２，６８２）と、を備えていることを特徴とする三脚支持装置。
【請求項４】
前記支持部材（３８２，４８２）は直線状の棒材からなることを特徴とする請求項３に記載の三脚支持装置。
【請求項５】
前記支持部材（３８２）の表面の少なくとも一部に、前記支持部材取付部（３９５，３９６）内における前記支持部材（３８２）のスライド移動を抑制するための滑り止め部（３８７）が設けられていることを特徴とする請求項３または４に記載の三脚支持装置。
【請求項６】
機器を載せる天板（１２）と、該天板（１２）に連結された３つの脚部（４０）とを備えた三脚（１０，２１０）において、
少なくとも１つの前記脚部（４０）又は該脚部に取り付けられた別部材（９２，１９２）の所定位置に、該所定位置から地面に向かって三脚の転倒に弱い方向へ延びる支持部材（８２，１８２，２８２，５８２，６８２）を所定の貫通方向に沿って貫通させるための穴又は溝からなる支持部材取付部（９５，５９５，６９５）が設けられ、
該支持部材取付部（９５，５９５，６９５）は、前記支持部材（８２，１８２，２８２，５８２，６８２）が前記支持部材取付部（９５，５９５，６９５）に挿通された状態において前記支持部材（８２，１８２，２８２，５８２，６８２）が前記貫通方向の軸周りに回転操作されることで前記支持部材（８２，１８２，２８２，５８２，６８２）の先端部が地面に載置されるように設けられていることを特徴とする三脚。
【請求項７】
前記支持部材取付部（９５）は、前記脚部に着脱可能な固定部材（９２，１９２）に設けられ、
前記脚部（４０）は、前記天板（１２）に連結された脚部本体（４１）と、該脚部本体（４１）の下端に所定の固定具（１００）により固定された接地部材（６２）とを備え、
前記固定部材（９２）は、前記固定具（１００）により前記接地部材（６２）と共に前記脚部本体（４１）に固定可能であることを特徴とする請求項６に記載の三脚。
【請求項８】
機器を載せる天板（１２）と、該天板（１２）に連結された３つの脚部（４０）とを備えた三脚（１０，２１０）を支持するための三脚支持装置であって、
前記脚部（４０）又は該脚部に取り付けられた別部材（９２，１９２）に形成された穴又は溝からなる支持部材取付部（９５，５９５，６９５）と、
該支持部材取付部（９５，５９５，６９５）から地面に向かって三脚の転倒に弱い方向へ延びるようにして前記支持部材取付部（９５，５９５，６９５）に取付け可能な支持部材（８２，１８２，２８２，５８２，６８２）と、を備え、
前記支持部材（８２，１８２，２８２，５８２，６８２）は、
前記支持部材取付部（９５，５９５，６９５）に嵌着される嵌着部（８５，１８５，５８５，６８５）と、
該嵌着部から所定方向に延びるように設けられた長尺部（８３，８４，１８３，１８４，２８４，５８３，５８４，６８３，６８４）と、を備え、
該長尺部は、前記嵌着部（８５，１８５，５８５，６８５）が前記支持部材取付部（９５，５９５，６９５）に嵌着されることで前記支持部材（８２，１８２，２８２，５８２，６８２）が前記脚部（４０）又は前記別部材（９２，１９２）を所定の貫通方向に沿って貫通した状態において前記支持部材（８２，１８２，２８２，５８２，６８２）が前記貫通方向の軸周りに回転操作されることで前記長尺部の先端部が地面に載置されるように形成されていることを特徴とする三脚支持装置。
【請求項９】
前記支持部材（８２，１８２，５８２，６８２）は、一対の前記長尺部（８３，８４，１８３，１８４，５８３，５８４，６８３，６８４）を備え、
平面視において、前記脚部（４０）を挟む一方の側に一方の前記長尺部（８３，１８３，５８３，６８３）が配置され、前記脚部（４０）を挟む他方の側に他方の前記長尺部（８４，１８４，５８４，６８４）が配置されるようにしてあることを特徴とする請求項８に記載の三脚支持装置。
【請求項１０】
前記支持部材（８２，１８２，２８２，５８２，６８２）は、前記支持部材取付部内における前記嵌着部（８５，１８５，５８５，６８５）の移動を規制するためのストッパ（８７，１８７，５８７，６８７）を備えていることを特徴とする請求項８または９に記載の三脚支持装置。
【請求項１１】
前記支持部材（８２，１８２，２８２）は、前記脚部に着脱可能な固定部材（９２，１９２）を介して前記脚部（４０）に取付け可能であり、
前記脚部（４０）は、前記天板（１２）に連結された脚部本体（４１）と、該脚部本体（４１）の下端に所定の固定具（１００）により固定された接地部材（６２）とを備え、
前記固定部材（９２，１９２）は、前記固定具（１００）により前記接地部材（６２）と共に前記脚部本体（４１）に固定可能であることを特徴とする請求項８〜１０のいずれかに記載の三脚支持装置。
【発明の詳細な説明】
【技術分野】
【０００１】
本発明は、三脚及び三脚支持装置に関する。
【背景技術】
【０００２】
三脚は、測量機器（水準器、測量用ターゲット、トランシット又はトータルステーション等）、望遠鏡、カメラ又は照明機器等といった種々の機器を支持する天板（テーブル）と、この天板に揺動自在に連結された３つの伸縮可能な脚部を有する。各脚部の下端には尖端部が取り付けてあり、地盤等へ位置決めが容易にできるようにしてある。
【発明の開示】
【発明が解決しようとする課題】
【０００３】
ところが、アスファルトやコンクリートで舗装された場所や建築物内（室内）において三脚を使用する場合、尖端部を地盤に差し込むことができないことが多いため、横方向の突風や移動体（例えば、運搬中の資材）の接触によって三脚が転倒することがある。例えば、三脚を用いて測量を行う場合、三脚と共に測量機器が転倒し、高価な測量機器を損傷する事故が多発していた。特に、トータルステーションなどの測量機器は極めて精密な光学装置であって、その修理には相当な費用を要する。実際、転倒に起因する測量機器の損害額については正確な数字は公表されていないが、経験的には、一台の測量機器が２〜３年に一回は転倒して修理を必要としているものと考えられる。具体的に、水準器については約１０，０００台、ターゲットについては２０，０００台が転倒によって損傷しているものと推定される。
【０００４】
そこで、本発明は、三脚と、三脚によって支持される測量機器等の種々の機器とが、風等によって転倒することを確実に防止することを目的とする。
【課題を解決するための手段】
【０００５】
上記課題を解決するため、本発明に係る三脚は、
機器を載せる天板（１２）と、該天板（１２）に連結された３つの脚部（４０）とを備えた三脚（３１０，４１０）において、
少なくとも１つの前記脚部（４０）又は該脚部に取り付けられた別部材（４９２）の所定位置に、該所定位置から地面に向かって三脚の転倒に弱い方向へ延びる支持部材（３８２，４８２，５８２，６８２）を貫通させるための穴（３９５，３９６，４９９，５９５，６９５）が設けられていることを特徴とする。
【０００６】
また、本発明に係る三脚支持装置は、
機器を載せる天板（１２）と、該天板（１２）に連結された３つの脚部（４０）とを備えた三脚（３１０，４１０）を支持するための三脚支持装置であって、
前記脚部（４０）又は該脚部に取り付けられた別部材（４９２）に形成された穴からなる支持部材取付部（３９５，３９６，４９９，５９５，６９５）と、
該支持部材取付部（３９５，３９６，４９９，５９５，６９５）から地面に向かって三脚の転倒に弱い方向へ延びるようにして該支持部材取付部（３９５，３９６，４９９，５９５，６９５）を貫通可能な支持部材（３８２，４８２，５８２，６８２）と、を備えていることを特徴とする。
【０００７】
さらに、本発明の別の形態に係る三脚は、
機器を載せる天板（１２）と、該天板（１２）に連結された３つの脚部（４０）とを備えた三脚（１０，２１０）において、
少なくとも１つの前記脚部（４０）又は該脚部に取り付けられた別部材（９２，１９２）の所定位置に、該所定位置から地面に向かって三脚の転倒に弱い方向へ延びる支持部材（８２，１８２，２８２，５８２，６８２）を所定の貫通方向に沿って貫通させるための穴又は溝からなる支持部材取付部（９５，５９５，６９５）が設けられ、
該支持部材取付部（９５，５９５，６９５）は、前記支持部材（８２，１８２，２８２，５８２，６８２）が前記支持部材取付部（９５，５９５，６９５）に挿通された状態において前記支持部材（８２，１８２，２８２，５８２，６８２）が前記貫通方向の軸周りに回転操作されることで前記支持部材（８２，１８２，２８２，５８２，６８２）の先端部が地面に載置されるように設けられていることを特徴とする。
【０００８】
さらにまた、本発明の別の形態に係る三脚支持装置は、
機器を載せる天板（１２）と、該天板（１２）に連結された３つの脚部（４０）とを備えた三脚（１０，２１０）を支持するための三脚支持装置であって、
前記脚部（４０）又は該脚部に取り付けられた別部材（９２，１９２）に形成された穴又は溝からなる支持部材取付部（９５，５９５，６９５）と、
該支持部材取付部（９５，５９５，６９５）から地面に向かって三脚の転倒に弱い方向へ延びるようにして前記支持部材取付部（９５，５９５，６９５）に取付け可能な支持部材（８２，１８２，２８２，５８２，６８２）と、を備え、
前記支持部材（８２，１８２，２８２，５８２，６８２）は、
前記支持部材取付部（９５，５９５，６９５）に嵌着される嵌着部（８５，１８５，５８５，６８５）と、
該嵌着部から所定方向に延びるように設けられた長尺部（８３，８４，１８３，１８４，２８４，５８３，５８４，６８３，６８４）と、を備え、
該長尺部は、前記嵌着部（８５，１８５，５８５，６８５）が前記支持部材取付部（９５，５９５，６９５）に嵌着されることで前記支持部材（８２，１８２，２８２，５８２，６８２）が前記脚部（４０）又は前記別部材（９２，１９２）を所定の貫通方向に沿って貫通した状態において前記支持部材（８２，１８２，２８２，５８２，６８２）が前記貫通方向の軸周りに回転操作されることで前記長尺部の先端部が地面に載置されるように形成されていることを特徴とする。
【発明の効果】
【０００９】
本発明によれば、三脚の少なくとも１つの脚部又は該脚部に取り付けられた別部材に、脚部又は前記別部材の所定位置から地面に向かって三脚の転倒に弱い方向に延びるように支持部材を取り付けることができるため、突風や衝突物等の作用により三脚が傾いたときでも、支持部材により、三脚の傾きを抑制するように三脚を支持することができる。そのため、三脚の転倒、及び三脚の天板に載せられた測量機器等の種々の機器の転倒を確実に防止することができ、これにより、それらの機器の損傷を確実に防止できる。また、本発明によれば、三脚の脚部又は前記別部材の支持部材取付部に支持部材を差し込むだけで、或いは、支持部材取付部に差し込んだ支持部材を所定方向に回転操作するだけで、支持部材の先端部を地面に載置することができるため、三脚に対して支持部材を極めて簡単に取り付けることができる。
【発明を実施するための最良の形態】
【００１０】
以下、添付図面を参照して本発明の実施形態を説明する。なお、以下の説明する実施形態で共通する部材又は部位には同一又は類似の符号を付して説明は省略する。また、以下の説明では、特定の方向を示す用語（例えば、「上」、「下」、およびそれらを含む別の用語）を使用しているが、その方向は三脚の使用状態における方向を指す。さらに、以下の実施形態においては、測量用の三脚について説明するが、本発明は、測量機器以外の種々の機器（例えば、望遠鏡、カメラ又は照明機器等）を載せるために用いる三脚にも等しく適用できる。
【００１１】
〔第１の実施形態〕
図１と図２は、本発明の第１の実施形態に係る三脚１０を示す。三脚１０は、比較的平坦なアスファルト面やコンクリート床に測量機器を据え付ける際に好適に利用できるもので、水準器、測量用ターゲット、トランシット、トータルステーションなどの測量機器を支持する天板（テーブル）１２を有する。天板１２は、例えば概ね正三角形の平面形状を有する。
【００１２】
図２に示すように、天板１２は、中央に円形の開口（孔）１８を有する。開口１８の下には、天板１２上に設置される測量機器を固定する固定機構２０が設けてある。例えば、固定機構２０は、天板１２の下面に設けた軸２２と、軸２２を中心として水平面に沿って固定可能なガイド２４と、ガイド２４に形成されたスロット２６に沿って水平方向に移動可能なねじ２８を備えている。天板１２の周縁部には、天板１２の概略形状である正三角形の各辺に平行な３つの支軸３４が設けられている。これら３つの支軸３４の軸方向を示す一点鎖線３６ａ〜３６ｃで囲まれた領域が正三角形を形成し、その三角形領域の中心が天板１２の中心３８に一致している。
【００１３】
天板１２の支軸３４には、脚部４０（４０ａ〜４０ｃ）が連結されている。脚部４０は、脚上部４２と脚下部４４を有し、これらの脚上部４２と脚下部４４とにより脚部本体４１が構成されている。脚上部４２は、平行に配置された２つの脚４６を有する。２つの脚４６は、上部連結部４８と下部連結部５０によって互いに連結されており、それらの間に所定の横断面を有する案内部のガイドスロット５２が形成されている。
【００１４】
上部連結部４８は、支軸３４に連結されている。したがって、脚上部４２及び脚部４０は、支軸３４を中心として、天板１２の中心３８を通る垂直面に沿って、天板１２からほぼ垂直下方に延びる収納位置と、この収納位置から外側に開かれた開放位置の間を揺動できる。
【００１５】
下部連結部５０は、ガイドスロット５２に沿って延びる挿通孔５４が形成されており、この挿通孔５４を通じて後述する脚下部５４がガイドスロット５２に収納できるようにしてある。
【００１６】
脚下部４４は一つの脚５６を有する。本実施形態では、脚５６は、ガイドスロット５２及び挿通孔５４とほぼ同一の横断面を有し、挿通孔５４を介してガイドスロット５２に挿入されている。したがって、脚上部４２に対する脚下部４４（具体的には、脚５６）の伸出量は自由に調節できる。脚上部４２に対する脚下部４４の伸出量を調節するとともに脚上部４２に対して脚下部４４を固定するために、脚上部４２の下部連結部５０はねじ５８を備えている。
【００１７】
脚５６の上端部には、挿通孔５４の横断面よりも大きな形状のストッパ６０が設けてあり、脚上部４２から脚下部が抜け落ちることが防止されている。
【００１８】
図４に示すように、脚５６は、三脚１０の中心側（内側）に位置する後面部７３と、後面部７３に対向する前面部７４と、後面部７３と前面部７４とに跨る一対の側面部７５，７６とを備えた角筒状の部材である。脚５６の下端部には、上下一対のボルト挿通穴７８，７９が設けられている。具体的に、ボルト挿通穴７８，７９は、脚５６の後面部７３と前面部７４とに設けられている。ボルト挿通穴７８，７９には、接地部材６２を脚５６に固定するためのボルト１００が挿通される。
【００１９】
脚部本体４１の下端、すなわち、脚５６の下端にはボルト１００により接地部材６２が固定されている。
【００２０】
接地部材６２は、水平又は略水平な方向に沿って配置される水平プレート６３と、水平プレート６３から立ち上がる一対の立ち上がりプレート６７，６８と、水平プレート６３から垂下する接地部材本体６４と、接地部材本体６４の下端から下方に突出した尖端部６５と、接地部材本体６４と水平プレート６３とに跨るリブプレート６６とを備えている。尖端部６５は、先端（下端）に向かって次第に断面が小さくなる円錐、円錐台、角錐、角錐台の形状を有する。また、接地部材６２は、一対の立ち上がりプレート６７，６８間に跨る連結プレート６９と、一対の立ち上がりプレート６７，６８間に跨る上下一対の円筒部７０，７１とを備えている。一対の円筒部７０，７１にはボルト１００の挿通が可能であり、円筒部７０，７１間の間隔は、脚５６のボルト挿通穴７８，７９間の間隔に等しくしてある。
【００２１】
接地部材６２を脚５６に取り付ける際は、先ず、一対の立ち上がりプレート６７，６８を、脚５６の下方から脚５６の下端部に嵌め込む。次に、脚５６のボルト挿通穴７８，７９と接地部材６２の円筒部７０，７１とを位置合わせした状態で、ボルト挿通穴７８，７９及び円筒部７０，７１にボルト１００を差し込む。続いて、ボルト１００の先端にナット１０２を螺合し、ナット１０２を締めつけることで、脚５６の下端に接地部材６２が固定される。このとき、接地部材６２と共に後述の固定部材９２を脚５６に固定することができるが、その具体的な構成は後に説明する。
【００２２】
図１に示すように、脚部４０の下端部には、三脚１０を支持するための支持部材８２が取付け可能となっている。なお、図１においては、全ての脚部４０に支持部材８２が取り付けられた状態が示されているが、支持部材８２は、１本又は２本の脚部４０のみに取り付けて使用してもよい。
【００２３】
図４に示すように、本実施形態において、支持部材８２は、脚部４０の脚５６に着脱可能な固定部材９２を介して脚部４０に取付け可能である。
【００２４】
固定部材９２は、例えば矩形のプレート部９３と、プレート部９３の表面に突設された突出部９４とを備えている。プレート部９３には、一対のボルト挿通穴９８，９９が、脚５６のボルト挿通穴７８，７９に対応して設けられている。一対のボルト挿通穴９８，９９は、突出部９４を挟んで上側及び下側に設けられている。上側又は下側の少なくとも一方のボルト挿通穴９８，９９は、上下方向に長い長穴であることが好ましく、本実施形態では、下側のボルト挿通穴９９が、上下方向に長い長穴となっている。突出部９２の外形は例えば略直方体であり、突出部９２の例えば上面に、支持部材８２を所定の貫通方向に沿って貫通させるための支持部材取付部としての溝９５が形成されている。溝９５は、固定部材９２が脚５６に取り付けられた状態において略水平方向に沿って配置されるようにして形成されている。ただし、溝９５は、固定部材９２が脚５６に取り付けられた状態において必ずしも略水平方向に沿って配置される必要はなく、支持部材８２が溝９５に挿通された状態において支持部材８２が前記貫通方向の軸周りに回転操作されたときに支持部材８２の先端が地面に載置されるように設ければよい。溝９５は、支持部材８２の一部を収容する底部９７と、溝９５の外部空間と底部９７の内部空間とを連通する出入り口部９６とを備えている。底部９７は、出入り口部９６よりも大きな幅を有し、例えば断面円形の形状を有する。
【００２５】
固定部材９２は、プレート部９３のボルト挿通穴９８，９９を脚５６のボルト挿通穴７８，７９に位置合わせした状態において、ボルト挿通穴９８，９９にボルト１００を差し込みナット１０２で締め付けることにより、接地部材６２と共に脚５６に固定することができる。そのため、固定部材９２を脚５６に取り付けるための専用のボルト挿通穴を脚５６に設けたり、専用のボルト等の固定具を用意したりする必要がない。なお、本実施形態において、固定部材９２は脚５６の後面部７３に固定されるが、脚５６の前面部７４に固定部材９２を固定することも可能である。
【００２６】
固定部材９２には、例えば金属が用いられるが、固定部材９２の材料は特に限定されるものではなく、例えば樹脂を用いることもできる。
【００２７】
支持部材８２は、固定部材９２の溝９５に嵌着される嵌着部８５と、嵌着部８５から所定方向に延びる一対の長尺部８３，８４とを備えている。
【００２８】
嵌着部８５は、溝９５の長さと同じか又は僅かに大きな長さを有する。嵌着部８５は、固定部材９２の溝９５の底部９７に収容可能であり且つ所定の向きでのみ溝９５の出入り口部９６を通過可能な形状を有する。具体的に、嵌着部８５の断面形状は、例えば、出入り口部９６の幅よりも短い短辺と、出入り口部９６の幅よりも長く且つ底部９７の直径よりも短い長辺とを有する長方形である。嵌着部８５の長さ方向両端部には、溝９５内における嵌着部８５の移動を規制するためのストッパ８７が設けられている。ストッパ８７は、例えば、溝９５の底部９７よりも大きな直径を有する円盤状に形成されている。溝９５に嵌着された嵌着部８５に嵌着部８５の長手方向の力が作用したとき、固定部材９２の突出部９４の側面にストッパ８７が係止され、これにより溝９５内における嵌着部８５の移動が規制される。
【００２９】
嵌着部８５の長さ方向一端部、すなわち一方のストッパ８７には一方の長尺部８３が連結され、嵌着部８５の長さ方向他端部、すなわち他方のストッパ８７には他方の長尺部８４が連結されている。各長尺部８３，８４は、嵌着部８５から徐々に遠ざかるように嵌着部８５の長さ方向に斜めに交差する方向に沿って延びるように形成されている。２つの長尺部８３，８４は、略同一の長さを有し、同一面内に配置されるように設けられている。これにより、嵌着部８５が溝９５に嵌着された状態、すなわち支持部材８２が固定部材９２を所定の貫通方向に沿って貫通した状態において支持部材８２を前記貫通方向の軸周りに回転操作すると、２つの長尺部８３，８４の先端が略同時に地面に載置される。また、一方の長尺部８３の長さ方向と、他方の長尺部８４の長さ方向とは互いに略直角である。本実施形態において、長尺部８３，８４は断面円形であるが、長尺部８３，８４の断面形状は特に限定されるものではない。さらに、長尺部８３，８４の先端部は、先端に向かって次第に断面が小さくなるような円錐状又は角錐状であってもよい。このようにして２つの長尺部８３，８４と嵌着部８５とが連なってなる支持部材８２の全体形状は、屈曲された棒状となっている。
【００３０】
支持部材８２には、例えば金属が用いられるが、支持部材８２の材料は特に限定されるものではなく、例えば樹脂を用いることもできる。
【００３１】
固定部材９２に支持部材８２を取り付ける際は、嵌着部８５の比較的小さな幅を有する側面が下方を向いた状態で、嵌着部８５を上方から固定部材９２の溝９５へ差し込み、これにより嵌着部８５を溝９５の底部９７に嵌め込む。これにより、支持部材８２は、嵌着部８５の長さ方向に沿って固定部材９２を貫通する。続いて、該貫通方向に沿って嵌着部８５を溝９５内で回転させ、２つの長尺部８３，８４の先端を地面に載置する（図５参照）。このとき、長尺部８３，８４の先端は、平面視において天板１２の中心３８に対して比較的近い位置と比較的遠い位置の２箇所において地面に載置することが可能であるが、図２に示すように比較的遠い位置において地面に載置することが好ましい。
【００３２】
このようにして固定部材９２を介して脚部４０に取り付けられた支持部材８２は、固定部材９２への取付け部分から地面に向かって三脚１０の転倒に弱い方向へ延びるように配置される。
【００３３】
ここで、図６を参照しながら、「三脚１０の転倒に弱い方向」について説明する。図６は、地面に設置した三脚１０を模式的に示す平面図である。図６において、脚４０ａの下端の位置（接地部分）を地点Ａ、脚４０ｂの下端の位置（接地部分）を地点Ｂ、脚４０ｃの下端の位置（接地部分）を地点Ｃでそれぞれ表す。３つの脚部４０（４０ａ〜４０ｃ）に取り付けられた支持部材８２を代表して、脚部４０ｃに取り付けられた支持部材８２について検討する。例えば、三脚１０が符号７００で示す方向の力を受けたとき、この方向が「三脚１０の転倒に弱い方向」となるため、支持部材８２の先端を図中の地点ａに接地させることで、符号７００で示す方向の力に対して最も確実に三脚１０を支持することができる。しかし、地点ａからある程度ずれた地点に支持部材８２の先端を接地させた場合であっても、支持部材８２によりある程度の強度で三脚１０を支持することができる。また、例えば、三脚１０が符号７０１で示す方向の力を受けたときは、この方向が「三脚１０の転倒に弱い方向」となるため、支持部材８２の先端を図中の地点ｂに接地させることで、符号７０１で示す方向の力に対して最も確実に三脚１０を支持することができる。しかし、地点ｂからある程度ずれた地点に支持部材８２の先端を接地させた場合であっても、支持部材８２によりある程度の強度で三脚１０を支持することができる。このように、三脚１０を支持可能とする支持部材８２先端の接地点の領域はある程度広範であり、支持部材８２の先端を、図６において地点Ａ、地点Ｂ及び地点Ｃを一点鎖線で結んで得られる三角形Ｔの外側の領域Ｒ内において支持部材８２の取付け部分近傍の地点に接地させることで、種々の方向の力に対して三脚１０を支持することができる。そこで、本明細書において、「三脚１０の転倒に弱い方向」とは、支持部材８２の取付け部分から領域Ｒ内における支持部材８２の取付け部分近傍の地点に向かう方向を指すものとする。
【００３４】
そのため、図３に示すように、突風等により三脚１０が傾いたときでも、支持部材８２により三脚１０を良好に支持することができ、これにより、三脚１０及び三脚１０の天板１２に載せられた測量機器の転倒を確実に防止することができる。また、本実施形態では、平面視において、脚部４０を挟む一方の側に一方の長尺部８３が配置され、脚部４０を挟む他方の側に他方の長尺部８４が配置されるため、あらゆる方向の三脚１０の傾きに対応することができる。
【００３５】
第１の実施形態において、支持部材８２の形状には種々の変更を加えることができる。例えば、図７に示すように、支持部材８２は、長尺部８３，８４の先端を折曲してなる折曲部１１０，１１２を備えていてもよい。これにより、長尺部８３，８４と地面との摩擦力を増大させることができ、三脚１０の転倒を一層確実に防止することができる。
【００３６】
また、第１の実施形態において、上述の支持部材８２に代えて、例えば、図８に示す支持部材１８２を使用してもよい。支持部材１８２は、上述の支持部材８２と同様、固定部材９２の溝９５に嵌着される嵌着部１８５と、嵌着部１８５から所定方向に延びる一対の長尺部１８３，１８４と、溝９５内における嵌着部８５の移動を規制するためのストッパ１８７とを備えているが、次の点で支持部材８２と構成が異なる。支持部材１８２の長尺部１８３，１８４の断面形状は、嵌着部１８５と同様の長方形となっており、これにより製造の簡略化を図ることができる。また、このように長尺部１８３，１８４を断面長方形状に形成しても、上述の断面円形の長尺部８３，８４と同様、三脚１０を確実に支持することができる。さらに、支持部材１８２のストッパ１８７は、嵌着部１８５の長さ方向両端部において嵌着部１８５の側面から突出する棒状に形成されている。このようにストッパ１８７を棒状に形成しても、上述の円盤状のストッパ８７と同様、固定部材９２の溝９５内における嵌着部１８５に移動を確実に規制することができる。
【００３７】
さらに、第１の実施形態において、上述の固定部材９２に代えて、別の形状を有する固定部材を使用することも可能である。例えば、図９に示す固定部材１９２を使用することができる。固定部材１９２は、上述の固定部材９２と同様、プレート部１９３と、プレート部１９３の表面に突設された突出部１９４とを備え、突出部１９４の上面には上述の溝９５が形成されているが、次の点で固定部材９２と構成が異なる。突出部１９４が、プレート部１９３の上端部に設けられており、プレート部１９３において、突出部１９４を挟んで上側のボルト挿通穴が設けられていない。すなわち、プレート部１９３には、１つのボルト挿通穴１９９のみが設けられている。また、プレート部１９３における突出部１９４とは反対側の面にはボルト１９８が突設されている。固定部材１９２の脚５６への固定は、固定部材１９２のボルト１９８を脚５６の上側のボルト挿通穴７８に差し込むとともに、固定部材１９２のボルト挿通穴１９９を脚５６の下側のボルト挿通穴７９に位置合わせした状態で、固定部材１９２のボルト１９８をナット１０２で締め付けるとともに、固定部材１９２とは別に用意したボルト１００をボルト挿通穴１９９に差し込みナット１０２で締め付けることにより行われる。固定部材１９２も、上述の固定部材９２と同様、接地部材６２と共に脚５６に固定することができる。
【００３８】
さらにまた、第１の実施形態において、上述の固定部材９２に代えて、図１０に示す固定部材２９２を使用することもできる。固定部材２９２は、脚５６の長さ方向に沿ってスライド可能に脚５６に外嵌された筒状部２９３と、筒状部２９３の表面に突設された突出部２９４とを有する。突出部２９４の上面には上述の溝９５が形成されている。筒状部２９３の側面には、脚５６に対して筒状部２９３を固定するためのねじ２９８が設けられており、必要に応じて、ねじ２９８を緩めて筒状部２９３をスライド移動させることで、固定部材２９２の高さ調節を行うことができる。
【００３９】
〔第２の実施形態〕
図１１は、本発明の第２の実施形態に係る三脚２１０を示す。本実施形態においては、第１の実施形態の支持部材８２に代えて、別の支持部材２８２が用いられ、その他の構成は第１の実施形態と同様である。
【００４０】
図１２に示すように、支持部材２８２は、長尺部２８４を１つのみ有し、この点で第１の実施形態の支持部材８２と異なる。本実施形態において、長尺部２８４は断面長方形状である。ただし、本発明において、長尺部２８４の断面形状は特に限定されず、例えば第１の実施形態と同様の円形であってもよい。
【００４１】
支持部材２８２の長尺部２８４は１つのみであるが、かかる構成であっても、第１の実施形態と同様、三脚１０を良好に支持することができる。また、第１の実施形態のように２つの長尺部８３，８４を有する支持部材８２に比べて、支持部材２８２の設置スペースを小さくすることができるため、比較的狭い場所でも支障なく三脚２１０を設置できる。支持部材２８２は、長尺部２８４が平面視において脚部４０を挟む両側のうちいずれの側に配置されるように取り付けてもよい。ただし、図１１に示すように、全ての脚部４０に支持部材２８２を取り付ける場合、全ての脚部４０について同じ側に長尺部２８４が配置されるように支持部材２８２を取り付けることが好ましく、これにより、三脚２１０がいずれの方向に傾いたときでもいずれかの支持部材２８２により三脚２１０を良好に支持することができる。
【００４２】
なお、支持部材２８２のその他の構成及び固定部材９２への取付け方法は、第１の実施形態と同様である。また、第２の実施形態においても、支持部材２８２及び固定部材９２の形状に種々の変更を加えることが可能である。
【００４３】
〔第３の実施形態〕
図１３は、本発明の第３の実施形態に係る三脚３１０を示す。本実施形態においては、第１又は第２の実施形態の支持部材８２，２８２と異なる支持部材３８２が用いられ、この支持部材３８２が固定部材を介することなく脚５６に直接取り付けられるようにしてある。なお、第３の実施形態において、支持部材及び支持部材取付部以外の構成は第１及び第２の実施形態と同様である。
【００４４】
図１４に示すように、第３の実施形態では、脚５６の側面部７５，７６に、支持部材３８２を貫通させるための支持部材取付部としての穴３９５，３９６が設けられている。穴３９５，３９６は、穴３９５，３９６に挿通された支持部材３８２が支持部材３８２の長さ方向にスライド可能なように形成されている。具体的に、穴３９５，３９６は、後述の支持部材３８２の断面形状と同一又は略同一の形状を有する。また、穴３９５，３９６は、支持部材３８２の径と比べて同じか又は僅かに大きく形成されている。これにより、穴３９５，３９６に挿通された支持部材３８２は、支持部材３８２の径方向への移動が穴３９５，３９６の周壁部により規制される。そのため、穴３９５，３９６に挿通された支持部材３８２を、支持部材３８２の長さ方向に沿って容易にスライド移動させることができる。一方の側面部７５に形成された穴３９５は、他方の側面部７６に形成された穴３９６よりも高い位置に設けられている。これにより、後述のように直線状の棒材からなる支持部材３８２が、水平方向に対して傾斜した状態で２つの穴３９５，３９６に挿通されるようにしてある。なお、本実施形態では、脚５６が中空であるため、脚５６に２つの穴３９５，３９６が設けられているが、脚５６が中実である場合は、脚５６を貫通する１つの穴を設ければよい。
【００４５】
支持部材３８２は直線状の棒材からなる。ただし、支持部材３８２は、直線状以外の形状であってもよく、例えばＶ字形に屈曲した形状であってもよい。支持部材３８２の断面形状は例えば円形であるが、円形以外の形状であってもよい。また、支持部材３８２の断面形状は、支持部材３８２の全長に亘って同一形状であるが、部分的に異なっていてもよい。
【００４６】
支持部材３８２の上端近傍部の表面には、穴３９５，３９６内における支持部材３８２のスライド移動を抑制するための滑り止め部３８７が設けられている。このように滑り止め部３８７を設けることにより、脚５６に支持部材３８２が取り付けられた状態において、穴３９５，３９６の周壁部と支持部材３８２との摩擦力を増大させることができる。よって、脚５６からの支持部材３８２の脱落を確実に防止できるとともに、支持部材３８２による三脚３１０の支持強度を高めることができる。
【００４７】
脚５６に支持部材３８２を取り付ける際は、支持部材３８２の下端を、脚５６の一方の穴３９５及び他方の穴３９６に順に差し込み、これにより穴３９５，３９６に挿通された支持部材３８２を、支持部材３８２の長さ方向に沿って地面に向かってスライドさせる。これにより、支持部材３８２の下端が地面に載置される。このようにして脚５６に取り付けられた支持部材３８２は、三脚３１０の中心側から見て左側に向かって下方へ傾斜した状態で脚５６と地面との間に跨り、脚部４０を支持する。
【００４８】
第３の実施形態によれば、脚５６の穴３９５，３９６に支持部材３８２を挿通させた状態において、脚５６から斜め下方に突出する支持部材３８２の突出長さを任意に調整することができる。そのため、三脚３１０が設置される地面の不陸や脚部４０の開き具合に対応して、支持部材３８２を設置することができる。また、支持部材３８２を脚５６の穴３９５，３９６に差し込みスライドさせるだけで、極めて容易に支持部材３８２を取り付けることができる。さらに、専用の固定部材を使用することなく、支持部材３８２を脚５６に直接取り付けることができるため、利便性の向上及び部品点数の低減を図ることができる。
【００４９】
第３の実施形態において、支持部材及び支持部材取付部の構成には、種々の変更を加えることが可能である。例えば、上記においては、脚５６の一方の穴３９５を他方の穴３９６よりも高い位置に形成する場合について説明したが、一方の穴３９５を他方の穴３９６よりも低い位置に形成するようにしてもよい。この場合、支持部材３８２を、三脚３１０の中心側から見て右側に向かって下方へ傾斜した状態で脚５６に取り付けることができる。また、脚５６に４つ以上の穴を設けてもよく、この場合、１つの脚５６に複数の支持部材３８２を取り付けることができる。
【００５０】
〔第４の実施形態〕
図１５は、本発明の第４の実施形態に係る三脚４１０を示す。本実施形態においては、第３の実施形態と同様、直線状の棒材からなる支持部材４８２が用いられるが、第３の実施形態と異なり、支持部材４８２は、脚５６に着脱可能な固定部材４９２を介して脚５６に取り付けられる。なお、第４の実施形態において、支持部材及び支持部材取付部以外の構成は第１〜第３の実施形態と同様である。
【００５１】
図１６に示すように、固定部材４９２は、脚５６に固定されるプレート部４９３を有する。プレート部４９３は、脚５６の後面部７３に固定される固定部４９４と、脚５６の一方の側面部７５に当接される第１の当接部４９５と、脚５６の他方の側面部７６に当接される第２の当接部４９６とを備えている。第１の当接部４９５は、固定部４９４の水平方向一端から、固定部４９４に直角な面方向に沿って延びるように設けられ、第２の当接部４９６は、固定部４９４の水平方向他端から、第１の当接部４９５に平行な面方向に沿って延びるように設けられている。すなわち、プレート部４９３は、全体として断面Ｕ字状に形成されている。プレート部４９３の固定部４９４にはボルト挿通穴４９７が形成されている。
【００５２】
固定部材４９２はまた、プレート部４９３の固定部４９４の表面に取り付けられた筒状部４９８を備えている。筒状部４９８は例えば溶接により固定部４９４に固定されている。本実施形態において、筒状部４９８は、水平方向に対して傾斜して設けられ、筒状部４９８の内部が、支持部材４８２を貫通させるための支持部材取付部としての穴４９９となっている。穴４９９は、筒状部４９８の長さ方向に沿って形成されているため、筒状部４９８と同様、水平方向に対して傾斜して設けられている。なお、本発明では、筒状部４９８に代えて、穴４９９を形成可能な肉厚を有する任意の形状の肉厚部を設けるようにしてもよい。
【００５３】
穴４９９は、穴４９９に挿通された支持部材４８２が支持部材４８２の長さ方向にスライド可能なように形成されている。具体的に、穴４９９は、支持部材４８２の断面形状と同一又は略同一の形状を有する。また、穴４９９は、支持部材４８２の径と比べて同じか又は僅かに大きく形成されている。これにより、穴４９９に挿通された支持部材４８２は、支持部材４８２の径方向への移動が穴４９９の周壁部により規制される。そのため、穴４９９に挿通された支持部材４８２を、支持部材４８２の長さ方向に沿って容易にスライド移動させることができる。穴４９９は、水平方向に対して傾斜するように形成されているため、支持部材４８２は水平方向に対して傾斜した状態で穴４９９に挿通される。
【００５４】
固定部材４９２は、固定部４９４のボルト挿通穴４９７を脚５６のボルト挿通穴７８に位置合わせした状態において、ボルト挿通穴７８，４９７にボルト１００を差し込みナット１０２で締め付けることにより、接地部材６２と共に脚５６に固定することができる。そのため、固定部材４９２を脚５６に取り付けるための専用のボルト挿通穴を脚５６に設けたり、専用のボルト等の固定具を用意したりする必要がない。なお、本実施形態でおいて、固定部材４９２は脚５６の後面部７３に固定されるが、脚５６の前面部７４に固定部材４９２を固定することも可能である。
【００５５】
固定部材４９２には、例えば金属が用いられるが、固定部材４９２の材料は特に限定されるものではなく、例えば樹脂を用いることもできる。
【００５６】
図１７に示すように、支持部材４８２は直線状の棒材からなる。ただし、支持部材４８２は、直線状以外の形状であってもよく、例えば湾曲した形状であってもよい。なお、支持部材４８２が湾曲した形状である場合、固定部材４９２の穴４９９も、支持部材４８２の形状に合わせて湾曲した形状となるように形成すればよい。支持部材４８２の断面形状は例えば円形であるが、円形以外の形状であってもよい。また、支持部材４８２の断面形状は、支持部材４８２の全長に亘って同一形状であるが、部分的に異なっていてもよい。なお、本実施形態においても、第３の実施形態と同様の滑り止め部を、支持部材４８２の表面に設けてもよい。
【００５７】
固定部材４９２を介して脚５６に支持部材４８２を取り付ける際は、支持部材４８２の下端を、固定部材４９２の穴４９９に上側から差し込み、これにより穴４９９に挿通された支持部材４８２を、支持部材４８２の長さ方向に沿って地面に向かってスライドさせる。これにより、支持部材４８２の下端が地面に載置され、支持部材４８２の取付けが完了する。このようにして固定部材４９２を介して脚５６に取り付けられた支持部材４８２は、三脚４１０の中心側から見て左側に向かって下方へ傾斜した状態で脚５６と地面との間に跨り、脚部４０を支持する。
【００５８】
本実施形態においても、第３の実施形態と同様、穴４９９に支持部材４８２を挿通させた状態において、脚５６から斜め下方に突出する支持部材４８２の突出長さを任意に調整することができる。そのため、三脚４１０が設置される地面の不陸や脚部４０の開き具合に対応して、支持部材４８２を設置することができる。また、支持部材４８２を脚５６の穴４９９に差し込みスライドさせるだけで、極めて容易に支持部材４８２を取り付けることができる。
【００５９】
第４の実施形態において、支持部材及び支持部材取付部の構成には、種々の変更を加えることが可能である。
【００６０】
例えば、図１６に示すように筒状部４９８及び穴４９９が図中右側に向かって上方へ傾斜して設けられた固定部材４９２に代えて、図１８に示すように筒状部４９８及び穴４９９が図中右側に向かって下方へ傾斜して設けられた固定部材５００を用いてもよい。この場合、支持部材４８２を、三脚４１０の中心側から見て右側に向かって下方へ傾斜した状態で固定部材４９２に取り付けることができる。
【００６１】
また、固定部４９４に対して筒状部４９８を回動可能に設けてもよく、この場合、筒状部４９８を回動させることにより穴４９９の傾斜方向を変更することができ、これにより取付け状態における支持部材４８２の傾斜方向を変更することができる。
【００６２】
さらに、固定部材４９２に複数の穴４９９を設けてもよく、この場合、１つの脚５６に複数の支持部材４８２を取り付けることが可能である。
【００６３】
さらにまた、上記においては、一対の当接部４９５，４９６を備えた断面Ｕ字形の固定部材４９２を用いる場合について説明したが、固定部材４９２に代えて、図１９に示すように一方の当接部４９５のみを備えた断面Ｌ字形の固定部材５５０を用いてもよい。断面Ｌ字形の固定部材５５０を用いる場合、脚５６の後面部７３の幅が固定部材５５０の固定部４９４の幅と異なる場合であっても、脚５６の側面部７５に当接部４９５を当接させた状態で脚５６に固定部材５５０を固定することができる。この場合、ボルト挿通穴４９７は、水平方向に長い長穴で構成することが好ましく、これにより、脚５６の後面部７３の幅に関わらず、脚５６のボルト挿通穴７８に固定部材５５０のボルト挿通穴４９７を確実に位置合わせすることができる。
【００６４】
〔第５の実施形態〕
図２０〜図２２を参照しながら、本発明の第５の実施形態について説明する。第５の実施形態では、図２０に示す支持部材５８２が用いられ、図２１に示すように、支持部材５８２を所定の貫通方向に沿って貫通させるための支持部材取付部としての穴５９５が脚５６の側面部７５，７６に設けられる。
【００６５】
図２０に示すように、支持部材５８２は、脚５６の穴５９５に嵌着される嵌着部５８５と、嵌着部５８５から延びる一対の長尺部５８３，５８４とを備えている。長尺部５８３，５８４は、嵌着部５８５から徐々に遠ざかるように嵌着部５８５の長さ方向に斜めに交差する方向に沿って延びるように設けられている。また、２つの長尺部５８３，５８４の長さ方向は互いに略直角である。２つの長尺部５８３，５８４は、略同一の長さを有し、同一面内に配置されるように設けられている。これにより、嵌着部５８５が穴５９５に嵌着された状態、すなわち支持部材５８２が脚５６を所定の貫通方向に沿って貫通した状態において支持部材５８２を前記貫通方向の軸周りに回転操作すると、２つの長尺部５８３，５８４の先端が略同時に地面に載置される。嵌着部５８５の長さ方向両端部には、嵌着部５８５と長尺部５８３，５８４とに跨る例えば三角形のリブ状のストッパ５８７が設けられている。嵌着部５８５及び長尺部５８３，５８４の断面形状は例えば円形とされ、支持部材５８２の全体形状は、屈曲された丸棒状となっている。ただし、嵌着部５８５及び長尺部５８３，５８４の断面形状は円形に限られず、種々の形状に形成することができる。
【００６６】
図２１に示すように、穴５９５は、支持部材５８２の嵌着部５８５を嵌め込むための円形の嵌合部５９６と、この嵌合部５９６に連通し支持部材５８２のストッパ５８７の通過を許容するスロット部５９７とを備えている。脚５６の両側面部７５，７６において穴５９５は略同じ高さに設けられている。脚５６への支持部材５８２の取付けは、支持部材５８２の一方の長尺部５８３及び嵌着部５８５を穴５９５に差し込むことによって行われるが、このとき、一方の長尺部５８３と嵌着部５８５とに跨るストッパ５８７が、穴５９５のスロット部５９７を通過するような向きで支持部材５８２の差し込みを行う。これにより、一方のストッパ５８７が脚５６の２つの穴５９５を通過した後、支持部材５８２を回転させて長尺部５８３，５８４の先端を地面に載置する。これにより、図２２に示す取付け状態となり、支持部材５８２の２つのストッパ５８７により脚５６が挟まれた状態となり、脚５６の穴５９５に嵌め込まれた嵌着部５８５の移動が規制される。
【００６７】
脚５６に支持部材５８２を取り付ける際は、支持部材５８２の一方の長尺部５８３（５８４）を脚５６の穴５９５に差し込む。一方の長尺部５８３（５８４）の基端部を穴５９５に挿通させる際は、ストッパ５８７が穴５９５のスロット部５９７を通るように支持部材５８２の向きを調整する。一方の長尺部５８３（５８４）が穴５９５を通り抜けると、嵌着部５８５が穴５９５に嵌着され、支持部材５８２が、嵌着部５８５の長さ方向に沿って脚５６を貫通した状態となる。続いて、該貫通方向に沿って嵌着部５８５を穴５９５内で回転させ、２つの長尺部５８３，５８４の先端を地面に載置する。
【００６８】
〔第６の実施形態〕
図２３〜図２５を参照しながら、本発明の第６の実施形態について説明する。第６の実施形態では、図２３に示す支持部材６８２が用いられ、図２４に示すように、支持部材６８２を所定の貫通方向に沿って貫通させるための支持部材取付部としての穴６９５が脚部４０の接地部材６２に設けられる。
【００６９】
図２３に示すように、支持部材６８２は、互いに直角な方向に沿って延びる一対の長尺部６８３，６８４を備えている。これらの長尺部６８３，６８４の長さ方向一端同士は連結しており、この連結部が、穴６９５に嵌着される嵌着部６８５となっている。嵌着部６８５及び長尺部６８３，６８４の断面形状は例えば円形とされ、支持部材６８２の全体形状は、屈曲された丸棒状となっている。ただし、嵌着部６８５及び長尺部６８３，６８４の断面形状は円形に限られず、種々の形状に形成することができる。２つの長尺部６８３，６８４は、略同一の長さを有し、同一面内に配置されるように設けられている。これにより、嵌着部６８５が穴６９５に嵌着された状態、すなわち支持部材６８２が接地部材６２を所定の貫通方向に沿って貫通した状態において支持部材６８２を前記貫通方向の軸周りに回転操作すると、２つの長尺部６８３，６８４の先端が略同時に地面に載置される。嵌着部６８５と長尺部６８３，６８４との間には、嵌着部６８５と長尺部６８３，６８４とに跨る例えば三角形のリブ状のストッパ６８７が設けられている。
【００７０】
図２４に示すように、穴６９５は、接地部材６２のリブプレート６６に設けられている。穴６９５は、支持部材６８２の嵌着部６８５を嵌め込むための円形の嵌合部６９６と、この嵌合部６９６に連通し支持部材６８２のストッパ６８７の通過を許容するスロット部６９７とを備えている。接地部材６２への支持部材６８２の取付けは、支持部材６８２の一方の長尺部６８３及び嵌着部６８５を穴６９５に差し込むことによって行われる。このとき、一方の長尺部６８３と嵌着部６８５とに跨るストッパ６８７が、穴６９５のスロット部６９７を通過するような向きで支持部材６８２の差し込みを行う。これにより嵌着部６８５が穴６９５に嵌着され、支持部材６８２が、嵌着部６８５の長さ方向に沿って接地部材６２を貫通した状態になると、該貫通方向に沿って嵌着部６８５を穴６９５内で回転させ、２つの長尺部６８３，６８４の先端を地面に載置する。これにより、図２５に示す取付け状態となり、支持部材６８２の２つのストッパ６８７により接地部材６２のリブプレート６６が挟まれた状態となり、穴６９５に嵌め込まれた嵌着部６８５の移動が規制される。
【００７１】
以上、上述の実施形態を挙げて本発明を説明したが、本発明は上述の実施形態に限定されるものではない。
【図面の簡単な説明】
【００７２】
【図１】本発明の第１の実施形態に係る三脚を示す斜視図である。
【図２】図１に示す三脚を示す平面図である。
【図３】図１に示す三脚の傾いた状態を示す平面図である。
【図４】図１に示す三脚の下端部を示す分解斜視図である。
【図５】図４に示す部分の組立状態を示す斜視図である。
【図６】「三脚の転倒に弱い方向」について説明するための図である。
【図７】図４に示す支持部材の変形例を示す斜視図である。
【図８】図４に示す支持部材の別の変形例を示す斜視図である。
【図９】図４に示す固定部材の変形例を示す斜視図である。
【図１０】図４に示す固定部材の別の変形例を示す斜視図である。
【図１１】本発明の第２の実施形態に係る三脚を示す斜視図である。
【図１２】図１１に示す三脚の下端部を示す分解斜視図である。
【図１３】本発明の第３の実施形態に係る三脚を示す斜視図である。
【図１４】図１３に示す三脚の下端部を示す斜視図である。
【図１５】本発明の第４の実施形態に係る三脚を示す斜視図である。
【図１６】図１５に示す三脚の下端部を示す分解斜視図である。
【図１７】図１６に示す部分の組立状態を示す斜視図である。
【図１８】図１６に示す固定部材の変形例を示す斜視図である。
【図１９】図１６に示す固定部材の別の変形例を示す斜視図である。
【図２０】図１４に示す支持部材の変形例を示す斜視図である。
【図２１】図１５に示す支持部材を使用する場合に脚に設ける穴の具体例を示す斜視図である。
【図２２】図１４に示す支持部材の取付け状態を示す正面図である。
【図２３】接地部材に設ける穴の具体例を示す斜視図である。
【図２４】図１８に示す接地部材に取り付けられる支持部材の具体例を示す斜視図である。
【図２５】図１９に示す支持部材の取付け状態を示す正面図である。
【符号の説明】
【００７３】
１０，２１０，３１０，４１０：三脚、１２：天板、４０：脚部、４１：脚部本体、５６：脚、６２：接地部材、６６：リブプレート、７８，７９：脚のボルト挿通穴、８２，１８２，２８２，３８２，４８２，５８２，６８２：支持部材、８３，８４，１８３，１８４，２８４，５８３，５８４，６８３，６８４：長尺部、８５，１８５，５８５，６８５：嵌着部、８７，１８７，５８７，６８７：ストッパ、９２，１９２：固定部材、９５：固定部材の溝（支持部材取付部）、９６：溝の出入り口部、９７：溝の底部、９８，９９：固定部材のボルト挿通穴、１００：ボルト、１０２：ナット、３９５，３９６：脚の穴（支持部材取付部）、４９９：固定部材の穴（支持部材取付部）、５９５：脚の穴（支持部材取付部）、５９６：穴の嵌合部、５９７：穴のスロット部、６９５：接地部材の穴（支持部材取付部）、６９６：穴の嵌合部、６９７：穴のスロット部。
【図１】
2010014692.tif 000003
【図２】
2010014692.tif 000004
【図３】
2010014692.tif 000005
【図４】
2010014692.tif 000006
【図５】
2010014692.tif 000007
【図６】
2010014692.tif 000008
【図７】
2010014692.tif 000009
【図８】
2010014692.tif 000010
【図９】
2010014692.tif 000011
【図１０】
2010014692.tif 000012
【図１１】
2010014692.tif 000013
【図１２】
2010014692.tif 000014
【図１３】
2010014692.tif 000015
【図１４】
2010014692.tif 000016
【図１５】
2010014692.tif 000017
【図１６】
2010014692.tif 000018
【図１７】
2010014692.tif 000019
【図１８】
2010014692.tif 000020
【図１９】
2010014692.tif 000021
【図２０】
2010014692.tif 000022
【図２１】
2010014692.tif 000023
【図２２】
2010014692.tif 000024
【図２３】
2010014692.tif 000025
【図２４】
2010014692.tif 000026
【図２５】
2010014692.tif 000027
【手続補正書】
【提出日】平成21年3月10日(2009.3.10)
【手続補正１】
【補正対象書類名】特許請求の範囲
【補正対象項目名】全文
【補正方法】変更
【補正の内容】
【特許請求の範囲】
【請求項１】
機器を載せる天板（１２）と、該天板（１２）に連結された３つの脚部（４０）とを備えた三脚（３１０，４１０）を支持するための三脚支持装置であって、
直線状の棒材からなる支持部材（３８２，４８２）と、
前記脚部（４０）又は該脚部に取り付けられた別部材（４９２）に形成された穴からなる支持部材取付部（３９５，３９６，４９９）と、を備え、
前記支持部材取付部（３９５，３９６，４９９）は、
該支持部材取付部に前記支持部材（３８２，４８２）が挿通された状態において、前記支持部材（３８２，４８２）の径方向への移動が前記支持部材取付部（３９５，３９６，４９９）の周壁部により規制されるように、且つ、前記支持部材（３８２，４８２）が該支持部材の長さ方向にスライド可能なように、且つ、前記支持部材（３８２，４８２）が前記支持部材取付部（３９５，３９６，４９９）から地面に向かって三脚の転倒に弱い方向へ延びるように、形成されていることを特徴とする三脚支持装置。
【請求項２】
平面視において、前記三脚の転倒に弱い方向は、前記支持部材（３８２，４８２）が取り付けられた前記脚部（４０）とは別の前記脚部（４０）の下端から三脚（３１０，４１０）の中心へ向かう方向に沿った方向であることを特徴とする請求項１に記載の三脚支持装置。
【請求項３】
前記脚部（４０）に着脱可能な固定部材（４９２）が、前記脚部（４０）に固定されるプレート部（４９３）と、プレート部（４９３）に取り付けられた筒状部（４９８）とを備え、
該筒状部（４９８）の内部が前記支持部材取付部（４９９）であることを特徴とする請求項１または２に記載の三脚支持装置。
【請求項４】
前記脚部（４０）は、前記天板（１２）に連結された脚部本体（４１）と、該脚部本体（４１）の下端に所定の固定具（１００）により固定された接地部材（６２）とを備え、
前記固定部材（４９２）は、前記固定具（１００）により前記接地部材（６２）と共に前記脚部本体（４１）に固定可能であることを特徴とする請求項３に記載の三脚支持装置。
【請求項５】
前記脚部（４０）は、角筒状の脚（５６）を備え、
該脚（５６）は、三脚の中心側に位置する後面部（７３）と、該後面部（７３）に対向する前面部（７４）と、前記後面部（７３）と前記前面部（７４）とに跨る一対の側面部（７５，７６）とを備え、
前記支持部材取付部（３９５，３９６）は、前記一対の側面部（７５，７６）に設けられ、
一方の前記側面部（７５）に形成された支持部材取付部（３９５）は、他方の前記側面部（７６）に形成された支持部材取付部（３９６）よりも高い位置に設けられていることを特徴とする請求項１または２に記載の三脚支持装置。
【請求項６】
前記支持部材（３８２）の表面の少なくとも一部に、前記支持部材取付部（３９５，３９６）内における前記支持部材（３８２）のスライド移動を抑制するための滑り止め部（３８７）が設けられていることを特徴とする請求項１〜５のいずれかに記載の三脚支持装置。
【請求項７】
機器を載せる天板（１２）と、
該天板（１２）に連結された３つの脚部（４０）と、
直線状の棒材からなる支持部材（３８２，４８２）と、
前記脚部（４０）又は該脚部に取り付けられた別部材（４９２）に形成された穴からなる支持部材取付部（３９５，３９６，４９９）と、を備え、
前記支持部材取付部（３９５，３９６，４９９）は、
該支持部材取付部に前記支持部材（３８２，４８２）が挿通された状態において、前記支持部材（３８２，４８２）の径方向への移動が前記支持部材取付部（３９５，３９６，４９９）の周壁部により規制されるように、且つ、前記支持部材（３８２，４８２）が該支持部材の長さ方向にスライド可能なように、且つ、前記支持部材（３８２，４８２）が前記支持部材取付部（３９５，３９６，４９９）から地面に向かって三脚の転倒に弱い方向へ延びるように、形成されていることを特徴とする三脚装置。
【手続補正３】
【補正対象書類名】明細書
【補正対象項目名】０００１
【補正方法】変更
【補正の内容】
【０００１】
本発明は、三脚支持装置及び三脚装置に関する。
【手続補正４】
【補正対象書類名】明細書
【補正対象項目名】０００５
【補正方法】変更
【補正の内容】
【０００５】
上記課題を解決するため、本発明に係る三脚支持装置は、
機器を載せる天板（１２）と、該天板（１２）に連結された３つの脚部（４０）とを備えた三脚（３１０，４１０）を支持するための三脚支持装置であって、
直線状の棒材からなる支持部材（３８２，４８２）と、
前記脚部（４０）又は該脚部に取り付けられた別部材（４９２）に形成された穴からなる支持部材取付部（３９５，３９６，４９９）と、を備え、
前記支持部材取付部（３９５，３９６，４９９）は、
該支持部材取付部に前記支持部材（３８２，４８２）が挿通された状態において、前記支持部材（３８２，４８２）の径方向への移動が前記支持部材取付部（３９５，３９６，４９９）の周壁部により規制されるように、且つ、前記支持部材（３８２，４８２）が該支持部材の長さ方向にスライド可能なように、且つ、前記支持部材（３８２，４８２）が前記支持部材取付部（３９５，３９６，４９９）から地面に向かって三脚の転倒に弱い方向へ延びるように、形成されていることを特徴とする。
【手続補正５】
【補正対象書類名】明細書
【補正対象項目名】０００６
【補正方法】変更
【補正の内容】
【０００６】
また、本発明に係る三脚装置は、
機器を載せる天板（１２）と、
該天板（１２）に連結された３つの脚部（４０）と、
直線状の棒材からなる支持部材（３８２，４８２）と、
前記脚部（４０）又は該脚部に取り付けられた別部材（４９２）に形成された穴からなる支持部材取付部（３９５，３９６，４９９）と、を備え、
前記支持部材取付部（３９５，３９６，４９９）は、
該支持部材取付部に前記支持部材（３８２，４８２）が挿通された状態において、前記支持部材（３８２，４８２）の径方向への移動が前記支持部材取付部（３９５，３９６，４９９）の周壁部により規制されるように、且つ、前記支持部材（３８２，４８２）が該支持部材の長さ方向にスライド可能なように、且つ、前記支持部材（３８２，４８２）が前記支持部材取付部（３９５，３９６，４９９）から地面に向かって三脚の転倒に弱い方向へ延びるように、形成されていることを特徴とする。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】変更
【補正の内容】
【０００９】
本発明によれば、三脚の少なくとも１つの脚部又は該脚部に取り付けられた別部材に、脚部又は前記別部材の所定位置から地面に向かって三脚の転倒に弱い方向に延びるように支持部材を取り付けることができるため、突風や衝突物等の作用により三脚が傾いたときでも、支持部材により、三脚の傾きを抑制するように三脚を支持することができる。そのため、三脚の転倒、及び三脚の天板に載せられた測量機器等の種々の機器の転倒を確実に防止することができ、これにより、それらの機器の損傷を確実に防止できる。また、本発明によれば、三脚の脚部又は前記別部材の支持部材取付部に支持部材を差し込むだけで、支持部材の先端部を地面に載置することができるため、三脚に対して支持部材を極めて簡単に取り付けることができる。
【手続補正９】
【補正対象書類名】明細書
【補正対象項目名】００７２
【補正方法】変更
【補正の内容】
【００７２】
【図１】本発明の第１の実施形態に係る三脚を示す斜視図である。
【図２】図１に示す三脚を示す平面図である。
【図３】図１に示す三脚の傾いた状態を示す平面図である。
【図４】図１に示す三脚の下端部を示す分解斜視図である。
【図５】図４に示す部分の組立状態を示す斜視図である。
【図６】「三脚の転倒に弱い方向」について説明するための図である。
【図７】図４に示す支持部材の変形例を示す斜視図である。
【図８】図４に示す支持部材の別の変形例を示す斜視図である。
【図９】図４に示す固定部材の変形例を示す斜視図である。
【図１０】図４に示す固定部材の別の変形例を示す斜視図である。
【図１１】本発明の第２の実施形態に係る三脚を示す斜視図である。
【図１２】図１１に示す三脚の下端部を示す分解斜視図である。
【図１３】本発明の第３の実施形態に係る三脚を示す斜視図である。
【図１４】図１３に示す三脚の下端部を示す斜視図である。
【図１５】本発明の第４の実施形態に係る三脚を示す斜視図である。
【図１６】図１５に示す三脚の下端部を示す分解斜視図である。
【図１７】図１６に示す部分の組立状態を示す斜視図である。
【図１８】図１６に示す固定部材の変形例を示す斜視図である。
【図１９】図１６に示す固定部材の別の変形例を示す斜視図である。
【図２０】図１４に示す支持部材の変形例を示す斜視図である。
【図２１】図２０に示す支持部材を使用する場合に脚に設ける穴の具体例を示す斜視図である。
【図２２】図２０に示す支持部材の取付け状態を示す正面図である。
【図２３】接地部材に取り付けられる支持部材の具体例を示す斜視図である。
【図２４】接地部材に設ける穴の具体例を示す斜視図である。
【図２５】図２３に示す支持部材の取付け状態を示す正面図である。
【手続補正書】
【提出日】平成21年5月20日(2009.5.20)
【手続補正１】
【補正対象書類名】特許請求の範囲
【補正対象項目名】全文
【補正方法】変更
【補正の内容】
【特許請求の範囲】
【請求項１】
機器を載せる天板（１２）と、該天板（１２）に連結された３つの脚部（４０）とを備えた三脚（３１０，４１０）を支持するための三脚支持装置であって、
直線状の棒材からなる支持部材（３８２，４８２）と、
前記脚部（４０）又は該脚部に取り付けられた別部材（４９２）のいずれか一方の部材と、を備え、
前記一方の部材（４０，４９２）には、穴からなる支持部材取付部（３９５，３９６，４９９）が形成され、
前記支持部材取付部（３９５，３９６，４９９）は、
該支持部材取付部に前記支持部材（３８２，４８２）が挿通された状態において、前記支持部材（３８２，４８２）の径方向への移動が前記支持部材取付部（３９５，３９６，４９９）の周壁部により規制されるように、且つ、前記支持部材（３８２，４８２）が該支持部材の長さ方向にスライド可能なように、且つ、前記支持部材（３８２，４８２）が前記支持部材取付部（３９５，３９６，４９９）から地面に向かって三脚の転倒に弱い方向へ延びるように、形成されていることを特徴とする三脚支持装置。
【請求項２】
平面視において、前記三脚の転倒に弱い方向は、前記支持部材（３８２，４８２）が取り付けられた前記脚部（４０）とは別の前記脚部（４０）の下端から三脚（３１０，４１０）の中心へ向かう方向に沿った方向であることを特徴とする請求項１に記載の三脚支持装置。
【請求項３】
前記脚部（４０）に着脱可能な固定部材（４９２）が、前記脚部（４０）に固定されるプレート部（４９３）と、プレート部（４９３）に取り付けられた筒状部（４９８）とを備え、
該筒状部（４９８）の内部が前記支持部材取付部（４９９）であることを特徴とする請求項１または２に記載の三脚支持装置。
【請求項４】
前記脚部（４０）は、前記天板（１２）に連結された脚部本体（４１）と、該脚部本体（４１）の下端に所定の固定具（１００）により固定された接地部材（６２）とを備え、
前記固定部材（４９２）は、前記固定具（１００）により前記接地部材（６２）と共に前記脚部本体（４１）に固定可能であることを特徴とする請求項３に記載の三脚支持装置。
【請求項５】
前記脚部（４０）は、角筒状の脚（５６）を備え、
該脚（５６）は、三脚の中心側に位置する後面部（７３）と、該後面部（７３）に対向する前面部（７４）と、前記後面部（７３）と前記前面部（７４）とに跨る一対の側面部（７５，７６）とを備え、
前記支持部材取付部（３９５，３９６）は、前記一対の側面部（７５，７６）に設けられ、
一方の前記側面部（７５）に形成された支持部材取付部（３９５）は、他方の前記側面部（７６）に形成された支持部材取付部（３９６）よりも高い位置に設けられていることを特徴とする請求項１または２に記載の三脚支持装置。
【請求項６】
前記支持部材（３８２）の表面の少なくとも一部に、前記支持部材取付部（３９５，３９６）内における前記支持部材（３８２）のスライド移動を抑制するための滑り止め部（３８７）が設けられていることを特徴とする請求項１〜５のいずれかに記載の三脚支持装置。
【請求項７】
機器を載せる天板（１２）と、
該天板（１２）に連結された３つの脚部（４０）と、
直線状の棒材からなる支持部材（３８２，４８２）と、を備え、
前記脚部（４０）又は該脚部に取り付けられた別部材（４９２）に、穴からなる支持部材取付部（３９５，３９６，４９９）が形成され、
前記支持部材取付部（３９５，３９６，４９９）は、
該支持部材取付部に前記支持部材（３８２，４８２）が挿通された状態において、前記支持部材（３８２，４８２）の径方向への移動が前記支持部材取付部（３９５，３９６，４９９）の周壁部により規制されるように、且つ、前記支持部材（３８２，４８２）が該支持部材の長さ方向にスライド可能なように、且つ、前記支持部材（３８２，４８２）が前記支持部材取付部（３９５，３９６，４９９）から地面に向かって三脚の転倒に弱い方向へ延びるように、形成されていることを特徴とする三脚装置。
【手続補正２】
【補正対象書類名】明細書
【補正対象項目名】０００５
【補正方法】変更
【補正の内容】
【０００５】
上記課題を解決するため、本発明に係る三脚支持装置は、
機器を載せる天板（１２）と、該天板（１２）に連結された３つの脚部（４０）とを備えた三脚（３１０，４１０）を支持するための三脚支持装置であって、
直線状の棒材からなる支持部材（３８２，４８２）と、
前記脚部（４０）又は該脚部に取り付けられた別部材（４９２）のいずれか一方の部材と、を備え、
前記一方の部材（４０，４９２）には、穴からなる支持部材取付部（３９５，３９６，４９９）が形成され、
前記支持部材取付部（３９５，３９６，４９９）は、
該支持部材取付部に前記支持部材（３８２，４８２）が挿通された状態において、前記支持部材（３８２，４８２）の径方向への移動が前記支持部材取付部（３９５，３９６，４９９）の周壁部により規制されるように、且つ、前記支持部材（３８２，４８２）が該支持部材の長さ方向にスライド可能なように、且つ、前記支持部材（３８２，４８２）が前記支持部材取付部（３９５，３９６，４９９）から地面に向かって三脚の転倒に弱い方向へ延びるように、形成されていることを特徴とする。
【手続補正３】
【補正対象書類名】明細書
【補正対象項目名】０００６
【補正方法】変更
【補正の内容】
【０００６】
また、本発明に係る三脚装置は、
機器を載せる天板（１２）と、
該天板（１２）に連結された３つの脚部（４０）と、
直線状の棒材からなる支持部材（３８２，４８２）と、を備え、
前記脚部（４０）又は該脚部に取り付けられた別部材（４９２）に、穴からなる支持部材取付部（３９５，３９６，４９９）が形成され、
前記支持部材取付部（３９５，３９６，４９９）は、
該支持部材取付部に前記支持部材（３８２，４８２）が挿通された状態において、前記支持部材（３８２，４８２）の径方向への移動が前記支持部材取付部（３９５，３９６，４９９）の周壁部により規制されるように、且つ、前記支持部材（３８２，４８２）が該支持部材の長さ方向にスライド可能なように、且つ、前記支持部材（３８２，４８２）が前記支持部材取付部（３９５，３９６，４９９）から地面に向かって三脚の転倒に弱い方向へ延びるように、形成されていることを特徴とする。